(57)【要約】【課題】録画時における消費電力を低くすることが可能な録画装置、及び録画方法を提供する。【解決手段】複数チャンネルで放送されるデータを録画する録画装置において、前記複数チャンネルで放送されるデータを取得する複数の放送受信部と、前記取得される各データを一括録画するよう録画予約を行う録画設定部と、所定の検索情報をもとに、前記録画予約された番組の中から、録画不要番組を判断し、前記録画予約の修正を行う録画対象修正部と、前記録画不要番組が放送される時間において、該番組が放送されるチャンネルに割り当てられた前記放送受信部を省電力化する省電力化部と、を有する。【選択図】図１
2014014001.tif 000002
【特許請求の範囲】
【請求項１】
複数チャンネルで放送されるデータを録画する録画装置において、
前記複数チャンネルで放送されるデータを取得する複数の放送受信部と、
前記取得される各データを一括録画するよう録画予約を行う録画設定部と、
所定の検索情報をもとに、前記録画予約された番組の中から、録画不要番組を判断し、前記録画予約の修正を行う録画対象修正部と、
前記録画不要番組が放送される時間において、該番組が放送されるチャンネルに割り当てられた前記放送受信部を省電力化する省電力化部と、を有することを特徴とする録画装置。
【請求項２】
前記放送受信部は、前記各データを受信する複数のチューナーと、前記各チューナーに接続されて、各チューナーから供給されるデータを復調する復調部と、を有し、
前記省電力化部は、前記復調部への電源供給を遮断する、ことを特徴とする請求項１に記載の録画装置。
【請求項３】
前記省電力化部は、前記チューナーに対して供給電源を低電圧化する待機モードに移行させる、ことを特徴とする請求項１又は請求項２のいずれかに記載の録画装置。
【請求項４】
前記各チャンネルに割り当てられ、前記各データを記録する複数のデータ記録部を有し、
前記省電力化部は、前記録画不要番組が放送される時間において、該番組が放送されるチャンネルに割り当てられた前記データ記録部を省電力化する、ことを特徴とする請求項１から請求項３のいずれか一項に記載の録画装置。
【請求項５】
所定のキー情報に対して、前記検索情報が複数関連づけて記録されており、
前記録画対象修正部は、前記キー情報の入力に基づいて、前記検索情報を参照し、この検索情報に該当する番組を前記録画不要番組として判断する、請求項１から請求項４のいずれか一項に記載の録画装置。
【請求項６】
前記録画不要番組は、リアルタイムでの視聴が望ましい番組を含む、請求項１から請求項５のいずれか一項に記載の録画装置。
【請求項７】
複数チャンネルで放送されるデータを録画する録画方法において、
前記複数チャンネルで放送されるデータを複数の放送受信部により取得し、同取得された各データを一括録画するよう録画予約を行い、
所定の検索情報をもとに、前記録画予約された番組の中から、録画不要番組を判断し、前記録画予約を修正し、
前記録画不要番組が放送される時間において、該番組が放送されるチャンネルに割り当てられた前記放送受信部を省電力化する、ことを特徴とする録画方法。
【発明の詳細な説明】
【技術分野】
【０００１】
本発明は、録画装置に関し、複数のチャンネルで放送される番組を同時に録画可能な録画装置に関する。
【背景技術】
【０００２】
従来、複数のチャンネルで同時刻に放送される番組を一括で録画する録画装置が知られている。このような録画装置では、録画する期間を指定しておき、この期間に放送される番組をデータ記録部に記録させることができる（例えば、特許文献１参照）。
【先行技術文献】
【特許文献】
【０００３】
【特許文献１】特開２００５−１５１１６４号公報
【発明の概要】
【発明が解決しようとする課題】
【０００４】
上記した録画装置では、録画を行う間は常時内部回路が駆動しているため、消費電力が多くなる。例えば、２４時間の録画を行う場合、録画装置は２４時間、駆動し続けることとなり、その分電力を消費することとなる。
【０００５】
本発明は、上記課題にかんがみてなされたもので、録画時における消費電力を低くすることが可能な録画装置、録画方法の提供を目的とする。
【課題を解決するための手段】
【０００６】
上記課題を解決するために、本発明では、複数チャンネルで放送されるデータを録画する録画装置において、前記複数チャンネルで放送されるデータを取得する複数の放送受信部と、前記取得される各データを一括録画するよう録画予約を行う録画設定部と、所定の検索情報をもとに、前記録画予約された番組の中から、録画不要番組を判断し、前記録画予約の修正を行う録画対象修正部と、前記録画不要番組が放送される時間において、該番組が放送されるチャンネルに割り当てられた前記放送受信部を省電力化する省電力化部と、を有する
【０００７】
録画設定部は、所定期間において、複数チャンネルで放送されるデータを一括で録画する録画予約を行なう。そして、録画対象修正部は、所定の検索情報をもとに、録画設定部で録画予約された番組の中から、録画不要番組を判断し、録画予約を修正する。そして、省電力化部は、録画不要番組が放送される時間において、該番組が放送されるチャンネルに割り当てられた放送受信部を省電力化する。
そのため、複数のチャンネルを一括で録画する場合でも、使用されない放送受信部を省電力化することができる。また、所定の検索情報により録画不要番組を判断することでユーザーによる番組の好みと消費電力の低減とをバランス良く行うことができる。
【０００８】
また、前記放送受信部は、前記各データを受信する複数のチューナーと、前記各チューナーに接続されて、各チューナーから供給されるデータを復調する復調部と、を有し、前記省電力化部は、前記復調部への電源供給を遮断する、構成としてもよい。
使用されない復調部に対して省電力化を行うことで、録画装置を省電力化することができる。
【０００９】
そして、前記省電力化部は、前記チューナーに対して供給電源を低電圧化する待機モードに移行させる構成としてもよい。
チューナーに対しては待機モードに移行させることで、録画不要番組が終了した後の録画再開に要する時間を短くすることができる。
【００１０】
さらに、前記各チャンネルに割り当てられ、前記各データを記録する複数のデータ記録部を有し、前記省電力化部は、前記録画対象から除外された番組が放送される時間において、該番組が放送されるチャンネルに割り当てられた前記データ記録部を省電力化する構成としてもよい。
データ記録部を省電力化することができるため、録画装置の消費電力をより低減することができる。
【００１１】
また、録画対象修正部が、録画不要番組を判断する構成の一例として、所定のキー情報に対して、前記検索情報が複数関連づけて記録されており、前記録画対象修正部は、前記キー情報の入力に基づいて、前記検索情報を参照し、この検索情報に該当する番組を前記録画不要番組として判断する構成としてもよい。
録画対象修正部がキー情報に基づいて録画不要番組を判断することで、ユーザーの嗜好をより反映させた録画予約を行なうことができる。
【００１２】
そして、前記録画不要番組は、リアルタイムでの視聴が望ましい番組を含む、構成としてもよい。
ここでリアルタイムでの視聴が望ましいとは、放送時刻において視聴を行うことが望ましい番組を意味し、例えば、ニュース番組であるとか、天気予報番組を含む。
上記のように構成された発明では、番組の視聴用途を反映させた録画予約を行うことができる。
【００１３】
また、本発明は、録画装置のみならず、録画方法についても適用することができる。
【図面の簡単な説明】
【００１４】
【図１】録画装置１の構成を説明するためのブロック構成図である。
【図２】録画装置１における電源供給を説明するためのブロック構成図である。
【図３】制御部１３における機能を作用的に示す図である。
【図４】全録画における処理を示すフローチャートである。
【図５】ステップＳ１４０、Ｓ１６０の処理を詳細に示すフローチャートである。
【図６】第２の実施形態に係る録画装置１のブロック構成図である。
【図７】第２の実施形態に係るステップＳ１４０、Ｓ１６０の処理を詳細に説明するフローチャートである。
【図８】第３の実施形態に係る録画装置１のブロック構成図である。
【図９】第３の実施形態に係るステップＳ１４０、Ｓ１６０の処理を詳細に説明するフローチャートである。
【発明を実施するための形態】
【００１５】
以下、下記の順序に従って本発明の実施形態を説明する。
１．第１の実施形態：
２．第２の実施形態：
３．第３の実施形態：
４．その他の実施形態：
【００１６】
１．第１の実施形態： 
以下、図を参照して、この発明に係る録画装置を具体化した第１の実施の形態について説明する。図１は、録画装置１の構成を説明するためのブロック構成図である。また、図２は、録画装置１における電源供給を説明するためのブロック構成図である。
【００１７】
録画装置１は、放送受信部１１と、ＤＤＲメモリ１２と、制御部１３と、ストリーム・コントローラー（Ｓコントローラー）１４と、ＨＤＤ（データ記録部）１５と、リモコン受信部１６と、Ｉ／Ｆ１７と、電源供給回路１８と、を備える。この録画装置１では、放送受信部１１はアンテナ１００に接続されている。そのため、アンテナ１００を通じて受信したテレビジョン放送にかかるデータを取得し、ＨＤＤ１５に記録することができる。また、各部は、バス１９を通じて制御部１３に接続されており、制御部１３による統合的な制御を受ける。
【００１８】
放送受信部１１は、チューナー２１（２１ａ〜２１ｄ）と、デモジュレーター（復調部）２２（２２ａ〜２２ｄ）とを備える。チューナー２１ａ〜２１は、一端がそれぞれアンテナ１００と接続され、他端がデモジュレーター２２ａ〜２２ｄとそれぞれ接続されている。そのため、チューナー２１ａは、アンテナ１００が受信するテレビジョン放送波の所定周波数帯から該当チャンネルで放送されるデータを抽出する。そして、デモジュレーター２２ａは、抽出されたデータを復調する。
【００１９】
ＤＤＲメモリ１２には、各チューナー２１がデータを取得するチャンネルが設定されたチャンネルマップＣＭが記録されている。このチャンネルマップには、各チューナー２１が抽出する帯域が設定され、この帯域に基づいてチューナー２１は、アンテナ１００が受信したテレビジョン放送から該当チャンネルにかかるデータを抽出する。また、ＤＤＲメモリ１２には、デモジュレーター２２により復調化されたデータの内、電子番組表ＥＰＧが記録される。
【００２０】
制御部１３は、ＣＰＵ（Central Processing Unit）、ＲＯＭ（Read Only Memory）、ＲＡＭ（Random Access Memory）、タイマー等を備える。また、制御部１３は、バス１９を通じてＤＤＲメモリ１２及びＨＤＤ１５にアクセスすることができる。さらに、制御部１３は、リモコン受信部１６と接続されており、リモコン受信部１６が受信する制御コマンドに応じて、録画装置１の各部に制御信号を出力することができる。
【００２１】
Ｓコントローラー１４は、制御部１３からの命令を受けて、放送受信部１１から供給されるデータをＨＤＤ１５に記録する。Ｓコントローラー１４は、バス１９を通じて各部と接続されている。そのため、Ｓコントローラー１４は、制御部１３からの命令を受けると、放送受信部１１の各デモジュレーター２２が復調したデータをＨＤＤ１５の所定アドレスに記録する。また、Ｓコントローラー１４は、後述する全録画においても、放送受信部１１により指定される複数のチャンネルに係るデータをＨＤＤ１５の所定アドレスに記録する。
【００２２】
図３は、制御部１３における機能を作用的に示す図である。図３に示す処理は、例えば制御部１３が内部に記録するプログラムを実行することで実現される。
録画設定部Ｍ１は、番組に係るデータを録画する際の録画予約を行なう。録画設定部Ｍ１は、録画予約として、録画時刻（録画開始時刻、録画終了時刻）、録画対象チャンネル、録画場所（ＨＤＤ、メディア）、記録画質、の設定を行なう。また、本実施形態では、ある期間において放送される全ての番組を録画することができる。この録画処理により、例えば録画装置１が受信可能な番組における２４時間に放送される全ての番組を録画することが可能となる。以下、このような録画処理を全録画とも記載する。なお、各種の録画予約は、例えばリモコン受信部１６を通じて制御部１３に入力される。
【００２３】
録画設定部Ｍ１が全録画にかかる録画予約を行う場合、録画時刻、録画対象チャンネルの各種設定は電子番組表ＥＰＧをもとに行われる。電子番組表ＥＰＧには、テレビジョン放送の放送スケジュールが記録されているため、録画設定部Ｍ１はこの電子番組表ＥＰＧを参照して録画を行なう。
【００２４】
また、全録画では同時刻に放送される番組が一度に録画されるため、各チューナー２１は、それぞれ異なるチャンネルのデータを抽出することとなる。そのため、録画設定部Ｍ１は、チャンネルマップＣＭを参照して、各チューナーと、チャンネルとの対応関係を参照する。
【００２５】
録画対象修正部Ｍ２は、ユーザーが入力したキー情報をもとに、全録画の対象を修正する。ここで、キー情報は、ＤＤＲ１５に記録される検索テーブルＳＴに含まれる検索情報を抽出する情報である。例えば、検索テーブルＳＴでは、「リアルタイム」というキー情報に対して、「ニュース」、「天気予報」の各検索情報が対応付けられている。そのため、録画対象修正部Ｍ２はキー情報が「リアルタイム」である場合、電子番組表に記録された番組の内、「ニュース」「天気予報」が付随して電子番組表ＥＰＧに記録された番組を判断する。ニュース番組や天気予報番組は、ユーザーが番組の放送時刻に視聴するのが望ましい。そのため、このような番組をキー情報により録画予約から除外する構成とすれば、番組の視聴用途を反映させた録画予約を行うことができる。
なお、検索テーブルＳＴに対応づけられるキー情報と検索情報の関係は、ユーザーによる入力によっても設定することができる。そのため、検索結果にユーザーの嗜好を反映させることができる。
【００２６】
そして、録画対象修正部Ｍ２は、検索された番組を録画不要番組と判断し、録画設定部Ｍ１が録画対象として設定した番組群の中から除外する。そのため、録画設定部Ｍ１は修正後の録画予約をもとに、Ｓコントローラー１４に各チャンネルのデータをＨＤＤ１５に記録させる。
【００２７】
省電力化部Ｍ３は、全録画時において使用されない部位を消費電力化する。第１の実施形態では、録画時において使用されないチューナー（２１ａ〜２１ｄ）を待機状態に移行させ、このチューナーに付随するデモジュレーターへの電源供給を遮断することで省電力化を行う。なお、省電力化部Ｍ３が、録画不要番組とチューナーとの関係を判断する一例として、上記録画設定部Ｍ１で設定された録画予約をもとに判断を行う。
【００２８】
電源供給回路１８は録画装置１を構成する各部に接続され、電源を各電源ラインを通じて供給する。一例として、図２に示すように、電源供給回路１８は、チューナー２１ａ〜２１ｄの電源供給ラインに接続されており、チューナー２１ａ〜２１ｄに電源電圧を供給する。また、電源供給回路１８は、内部に備えるＦＥＴの発振周期をそれぞれ変化させることで、チューナー２１ａ〜２１ｄを個別に待機状態へ移行させることができる。この待機状態では、チューナー２１ａ〜２１ｄへ供給する電源電圧を低下させるのみであるため、電源電圧を遮断させる場合に比べて、通常状態へ復帰に要する時間を短くすることができる。
【００２９】
さらに、電源供給回路１８は、ＳＷ３０（３０ａ〜３０ｄ）を介して、デモジュレーター２２ａ〜２２ｄに接続されている。このＳＷ３０は制御部１３に接続されており、制御部１３からの制御信号によりＳＷ３０を切替えることで、デモジュレーター２２ａ〜２２ｄへ供給される電源を個別に遮断することができる。
【００３０】
Ｉ／Ｆ１７は、バス１９に接続され、データを外部に出力する際の処理を行なう。例えば、Ｉ／Ｆ１７は、ビデオ出力端子、やＨＤＭＩ制御部を備える。また、Ｉ／Ｆ１７は、表示装置等の外部装置とコネクターを通じて接続し、ＨＤＤ１５に記録されたデータを外部装置に出力することができる。
【００３１】
以下、このような構成の録画装置１における実施例を図４を用いて説明する。図４は、全録画における処理を示すフローチャートである。
【００３２】
ステップＳ１００では、制御部１３は、ＤＤＲメモリ１２に記録された電子番組表ＥＰＧを取得し、録画予約（全録画）の設定を行う。このステップＳ１００では、例えば、ユーザーにより、電子番組表ＥＰＧに記録された現時点から２４時間で放送される全て（４チャンネル）の番組を録画対象とする録画（全録画）の設定が行なわれる。
【００３３】
ステップＳ１０５では、制御部１３は、キー情報をもとに、録画予約の修正を行う。具体的には、まず、録画対象修正部Ｍ２が、入力されたキー情報を参照して録画不要番組を判断する。そして、録画対象修正部Ｍ２は、録画予約に含まれる番組から録画不要番組に該当する番組を削除する。ここで、キー情報の取得は、全録画の設定の際、ユーザーがリモコン装置を操作して制御部１３に入力する以外にも、予めＤＤＲメモリ１２等に記録されたものを取得するものであってもよい。
【００３４】
ステップＳ１１０では、制御部１３は、録画不要番組の放送時刻を記録する。録画不要番組の放送時刻（開始時刻・終了時刻）の記録は、省電力化部Ｍ３が録画設定部Ｍ１が設定した録画予約を参照することで行なわれる。なお、録画不要番組の放送時刻の判断は、制御部１３が電子番組表ＥＰＧを参照して行っても良い。
【００３５】
ステップＳ１１５では、制御部１３は、全録画を開始させる。例えば、予約された全録画の開始時刻に達した場合、又は、ユーザーによる操作入力が行われた場合に全録画は開始される。そして、この全録画では、チューナー２１ａ〜２１ｄが取得するテレビジョン放送に係るデータがＳコントローラー１４に順次送信される。そして、Ｓコントローラー１４は、受信した各データの情報量を圧縮した後、順次ＨＤＤ１５の所定アドレスに記録していく。
【００３６】
そして、制御部（省電力化部Ｍ３）１３のタイマーを用いた監視により、録画不要番組の開始時刻になっていない場合（ステップＳ１２０：ＮＯ）、制御部１３は、ステップＳ１２５に進む。ステップＳ１２５では、制御部１３により、電子番組表ＥＰＧが更新されているか否かが判断される。全録画の設定時に用いた電子番組表ＥＰＧが更新されている場合（ステップＳ１２５：ＹＥＳ）、ステップＳ１００に戻り、制御部１３は更新後の電子番組表ＥＰＧを取得し、全録画の再設定を行なう。
【００３７】
一方、電子番組表ＥＰＧが更新されておらず（ステップＳ１２５：ＮＯ）、全録画を終了する時刻でもない場合（ステップＳ１３０：ＮＯ）、制御部１３は、ステップＳ１２０に戻る。
【００３８】
録画不要番組の放送開始時刻に達した場合（ステップＳ１２０：ＹＥＳ）、ステップＳ１３５では、制御部（省電力化部Ｍ３）１３は、該当チャンネルの録画を停止する。例えば、該当チャンネルに係るデータの取得をチューナー２１ａが実施している場合、制御部１３は、チューナー２１ａに対してデータの取得を停止させる。そのため、チャンネル１を除くチャンネル２〜４に係るデータのみがＳコントローラー１４によりＨＤＤ１５へ録画される。
【００３９】
そして、ステップＳ１４０では、制御部（省電力化部Ｍ３）１３は、放送受信部１１に対して省電力化を行う。図５（ａ）は、ステップＳ１４０の処理を詳細に示すフローチャートである。まず、ステップＳ１４１では、制御部１３は該当チューナーを待機モードに移行させる。上記例では、チューナー２１ａが待機モードに移行される。
【００４０】
次に、ステップＳ１４２では、制御部１３は、ＳＷ３０を切替え、ステップＳ１４０で待機モードに移行させたチューナーに付随するデモジュレーター２２の電源供給を停止させる。上記例では、チューナー２１ａが待機モードに移行しているため、制御部１３はＳＷ３０ａを切替えてデモジュレーター２２ａへ供給される電源を遮断する。
上記した、ステップＳ１４０における放送受信部１１の省電力化は、録画不要番組の放送が終了されるまで継続される（図４のステップＳ１５０：ＮＯ）。
【００４１】
そして、録画不要番組の放送終了時刻になると（ステップＳ１５０：ＹＥＳ）、ステップＳ１６０では、制御部１３は放送受信部１１の省電力化を解除する。図５（ｂ）は、ステップＳ１６０の処理を詳細に示すフローチャートである。
【００４２】
図５（ｂ）のステップＳ１６１では、まず、制御部１３は、チューナー２１を待機モードから復帰させる。そして、ステップＳ１６２では、制御部１３は、ＳＷ３０を切替えることで、デモジュレーター２２への電源供給を再開させる。
ここで、チューナー２１は待機モードからの復帰であるため、チューナー２１は、デモジュレーター２２よりも前に復帰が完了する。即ち、復帰に時間を要するチューナー２１に対しては、待機モードへの移行により省電力化を実施することで、次に録画開始が行われる番組の放送が迫っている場合でも、録画に対応することが可能となる。
【００４３】
そして、ステップＳ１７０では、制御部１３は、該当チャンネルに対する録画を再開させる。上記例では、チューナー２１ａによるチャンネル１に関するデータ取得が再開される。そして、デモジュレーター２２ａが復調したデータがＳコントローラー１４に入力され、ＨＤＤ１５に記録されていく。そのため、チャンネル１〜４に係るデータがＳコントローラー１４を通じてＨＤＤ１５に記録されることとなる。
そして、全録画終了の時刻に達した場合（ステップＳ１３０ＹＥＳ）、制御部１３は録画処理を終了する。
【００４４】
以上、説明したように、この第１の実施形態では、複数のチャンネルで取得されたデータを一度に録画するに際し、録画不要番組を取得する放送受信部１１を省電力化し、消費電力を低減することができる。
また、キー情報に基づいて録画不要番組を判断することで、ユーザーの嗜好をより反映させた録画予約を行なうことができ、ユーザーの嗜好と省電力化をバランス良く組み合わせることができる。
【００４５】
２．第２の実施形態：
図６は、第２の実施形態に係る録画装置１のブロック構成図である。第２の実施形態では、録画装置１は、放送受信部１１と、ＤＤＲメモリ１２と、制御部１３と、Ｓコントローラー１４と、ＨＤＤ１５と、リモコン受信部１６と、Ｉ／Ｆ１７と、電源供給回路１８と、を備える。
一方、放送受信部１１の構成が第１の実施形態と異なる。即ち、放送受信部１１は複数のチューナーの機能を有する１つのチューナーパック２３を備え、このチューナーパック２３は電源供給回路１８と１系統の電源供給ラインにより接続されている。そして、チューナーパック２３の各出力端子に、デモジュレーター２２ａ〜２２ｄが接続されている。
【００４６】
以下、第２の実施形態に係る録画装置１の実施例を説明する。第２の実施形態に係る全録画は、第１の実施形態に比べて、ステップＳ１４０、Ｓ１６０の処理が異なるだけであるため、図４を流用して説明を行う。
【００４７】
録画不要番組の放送開始時刻に達した場合（図４のステップＳ１２０：ＹＥＳ）、ステップＳ１３０では、制御部（省電力化部Ｍ３）１３は、該当チャンネルの録画を停止する。
【００４８】
そして、図４のステップＳ１４０では、制御部（省電力化部Ｍ３）１３は、放送受信部１１に対して省電力化を行う。図７（ａ）は、第２の実施形態に係るステップＳ１４０の処理を詳細に説明するフローチャートである。
【００４９】
図７（ａ）のステップＳ２４１で、制御部１３は、録画を停止したチャンネルを復調するデモジュレーター２２の電源供給を停止させる。これは、チューナーがパック化された放送受信部１１では、特定のチューナーのみを待機モードに移行させることは不可能であるからである。上記例では、制御部１３は、チャンネル１に係るデータを復調するデモジュレーター２２ａへ供給される電源を遮断する。ステップＳ２４１における放送受信部１１の省電力化は、録画不要番組の放送が終了されるまで継続される（図４のステップＳ１５０：ＮＯ）。
【００５０】
そして、録画不要番組の放送終了時刻になると（図４のステップＳ１５０：ＹＥＳ）、ステップＳ１６０では、制御部１３は、放送受信部１１の省電力化を解除する。図７（ｂ）は、第２の実施形態に係るステップＳ１６０の処理を詳細に説明するフローチャートである。ステップＳ２６１では、制御部１３は、デモジュレーターへの電源供給を再開させる。
【００５１】
さらに、図４のステップＳ１７０では、制御部１３は、該当チャンネルに対する録画を再開させる。例えば、録画不要番組がチャンネル１で放送されている場合、チャンネル１に関するデータ取得が再開される。そして、デモジュレーター２２ａが復調したデータがＳコントローラー１４に入力され、ＨＤＤ１５に記録されていく。
【００５２】
以上、説明したようにこの第２の実施形態では、複数のチューナーがパック化された放送受信部１１においても、全録画時の消費電力を削減することができる。
【００５３】
３．第３の実施形態：
図８は、第３の実施形態に係る録画装置１のブロック構成図である。この第３の実施形態では、録画装置１は、各チャンネルに係るデータの記録先を複数に振り分けることができる。その一例として、録画装置１は、３つのＨＤＤ１５ａ〜１５ｃを備える。
【００５４】
また、この実施形態においても、録画設定部Ｍ１により、各チャンネルで放送されるデータの記録先をどのＨＤＤ１５ａ〜１５ｃに指定するかが規定される。なお、録画設定部Ｍ１によるＨＤＤ１５とチャンネルの関係は、例えば、ユーザーによる操作入力により設定されるものである。
【００５５】
さらに、第３の実施形態に係る録画装置１では、制御部１３は電源供給回路１８を制御して、ＨＤＤ１５ａ〜１５ｃを個別に省電力化させることができる。即ち、電源供給回路１８は、それぞれＨＤＤ１５ａ〜１５ｃに接続されている。そして、電源供給回路１８は、制御部１３からの命令を受けて、各ＨＤＤ１５ａ〜１５ｃに供給する電源電圧を遮断することができる。
【００５６】
以下、第３の実施形態に係る録画装置１の実施例を説明する。この第２の実施形態に係る全録画は、第１の実施形態に比べて、ステップＳ１４０、Ｓ１６０の処理が異なるだけであるため、図４を流用して説明を行う。
【００５７】
録画不要番組の放送開始時刻に達した場合（図４のステップＳ１２０：ＹＥＳ）、ステップＳ１４０では、制御部（省電力化部Ｍ３）１３は、該当チャンネルの録画を停止する。
【００５８】
そして、ステップＳ１４０では、制御部（省電力化部Ｍ３）１３は、放送受信部１１に対して省電力化を行う。図９（ａ）は、第２の実施形態に係るステップＳ１４０の処理を詳細に説明するフローチャートである。
【００５９】
第３の実施形態では、図９（ａ）のステップＳ３４１で、制御部１３は、該当チューナーを待機モードに移行させる。次に、ステップＳ３４２では、制御部１３は、待機モードに移行させたチューナー２１に接続されたデモジュレーター２２の電源供給を停止させる。
【００６０】
さらに、ステップＳ３４３では、制御部１３は、録画不要番組を記録するＨＤＤ１５へ供給する電源を遮断させる。具体的には、省電力化部Ｍ３は、録画設定部Ｍ１により設定された録画予約を参照し、録画不要番組が属するチャンネルに対応づけられたＨＤＤ１５を判断する。例えば、録画不要番組がチャンネル１に属する場合、制御部１３は録画予約によりチャンネル１に対応づけられたＨＤＤ１５を判断する。なお、ＨＤＤ１５の復帰動作が遅い場合、ＨＤＤ１５を待機状態に移行させるものであってもよい。
【００６１】
そして、録画不要番組の放送終了時刻になると（図４のステップＳ１５０：ＹＥＳ）、ステップＳ１６０で、制御部１３は、省電力状態から復帰させる。即ち、図９（ｂ）のステップＳ３６１では、制御部１３は、チューナー２１を待機状態から復帰させる。次に、ステップＳ３６２で、制御部１３は、該当デモジュレーターへの電源供給を再開させる。さらに、ステップＳ３６３で、制御部１３は、該当ＨＤＤ１５への電源供給を再開させる。
【００６２】
さらに、図４のステップＳ１７０では、制御部１３は、該当チャンネルに対する録画を再開させる。例えば、録画不要番組がチャンネル１で放送されている場合、チャンネル１に関するデータ取得が再開される。
【００６３】
以上説明したように、この第３の実施形態では、録画装置１が複数のＨＤＤ１５を備え、チャンネル毎にデータの記録先を振り分けることができる場合に、このＨＤＤ１５を個別に省電力化させて録画装置１を省電力化することができる。
【００６４】
４．その他の実施形態：
本発明は様々な実施形態が存在する。
例えば、キー情報をリモコン装置から入力することは一例である。録画装置１がネットワークに接続されている場合に、携帯端末からこのネットワークを通じてキー情報を入力してもよい。
【００６５】
データ記録部としてＨＤＤを用いることは一例である。これ以外にも、光ディスクや、フラッシュメモリを用いるものであってもよい。
【００６６】
なお、本発明は上記実施例に限られるものでないことは言うまでもない。
上記実施例の中で開示した相互に置換可能な部材および構成等を適宜その組み合わせを変更して適用してもよい。
公知技術であって上記実施例の中で開示した部材および構成等と相互に置換可能な部材および構成等を適宜置換し、またその組み合わせを変更して適用してもよい。
公知技術等に基づいて当業者が上記実施例の中で開示した部材および構成等の代用として想定し得る部材および構成等と適宜置換し、またその組み合わせを変更して適用してもよい。
【符号の説明】
【００６７】
１…録画装置、１１…放送受信部、１２…ＤＤＲメモリ、１３…制御部、１４…Ｓコントローラー、１５…ＨＤＤ、１６…リモコン受信部、１７…Ｉ／Ｆ、１８…電源供給回路、１９…バス、２１…チューナー、２２…デモジュレーター、２３…チューナーパック、１００…アンテナ
【図１】
2014014001.tif 000003
【図２】
2014014001.tif 000004
【図３】
2014014001.tif 000005
【図４】
2014014001.tif 000006
【図５】
2014014001.tif 000007
【図６】
2014014001.tif 000008
【図７】
2014014001.tif 000009
【図８】
2014014001.tif 000010
【図９】
2014014001.tif 000011